(57)【要約】【課題】不正行為を抑止することのできる遊技機を提供する。【解決手段】パチンコ機１０は、遊技球の払出しを制御する払出制御装置２４２を備えている。払出制御装置２４２の基板ボックス２４４には、払出制御基板の端子部に対応してコネクタ用開口部が設けられ、前記端子部が基板ボックス２４４の外部に露出した状態となっている。また、基板ボックス２４４には、端子部に接続された接続ケーブルのコネクタを覆うようにコネクタカバー７００が取付けられている。コネクタカバー７００は、基板ボックス２４４のうち、払出制御基板の実装面に対し略直交して配設される水平段差部及び垂直段差部に対し両面接着テープにより接着固定される。【選択図】      図１０
2020179303.tif 000002
【特許請求の範囲】
【請求項１】
所定の電気機器との間で信号の送信又は受信を行うための端子部を具備してなる基板と、
前記端子部を露出させた状態で前記基板を被包する被包部材とを備え、
前記端子部に対し、前記電気機器と電気的に接続された接続ケーブルのコネクタが接続される遊技機において、
前記端子部に接続された接続ケーブルのコネクタを覆う被覆部材を備え、
前記被覆部材を所定の接着手段により前記被包部材に対し接着固定し、
前記被覆部材は、透明部材又は半透明部材で構成されると共に、略Ｌ字状に形成され、
前記被包部材のうち、前記基板の実装面に対し略直交して配設される第１側壁部に対し接着固定されると共に、
前記基板の実装面に対し略直交しかつ前記第１側壁部に対し略直交して配置される第２側壁部に対し接着固定され、
更に、前記被包部材のうち、前記基板の実装面に対し略並行して配設される正面壁部に対し前記被覆部材が接着固定され、
前記基板の実装面上の所定の電子部品に対応して、前記接着手段の一部に切欠き部又は窓部を形成したことを特徴とする遊技機。
【発明の詳細な説明】
【技術分野】
【０００１】
本発明は、パチンコ機等の遊技機に関するものである。
【背景技術】
【０００２】
パチンコ機等の遊技機には、遊技に関する所定の制御を行う制御基板が各種設けられている。かかる制御基板は、通常、基板ボックスと呼ばれるケース部材内に収容された状態で配置されている。また、各制御基板には、接続ケーブルのコネクタを接続するための端子部が設けられており、当該端子部が基板ボックスの外部に露出している。そして、当該端子部に接続された接続ケーブルを介して、所定の制御基板が他の制御基板等と電気的に接続される（例えば、特許文献１参照。）。
【先行技術文献】
【特許文献】
【０００３】
【特許文献１】特開２００９−６０１１号公報
【発明の概要】
【発明が解決しようとする課題】
【０００４】
ところが、近年では、例えば遊技機の隙間から侵入させた不正な器具を端子部やコネクタに対し接触させるなど、端子部等に対する不正行為が問題となっている。
【０００５】
本発明は、上記例示した問題点などを解決するためになされたものであり、その目的は、不正行為を抑止することのできる遊技機を提供することにある。
【課題を解決するための手段】
【０００６】
上記の目的を達成するため、本発明に係る遊技機は、
所定の電気機器との間で信号の送信又は受信を行うための端子部を具備してなる基板と、
前記端子部を露出させた状態で前記基板を被包する被包部材とを備え、
前記端子部に対し、前記電気機器と電気的に接続された接続ケーブルのコネクタが接続される遊技機において、
前記端子部に接続された接続ケーブルのコネクタを覆う被覆部材を備え、
前記被覆部材を所定の接着手段により前記被包部材に対し接着固定し、
前記被覆部材は、透明部材又は半透明部材で構成されると共に、略Ｌ字状に形成され、
前記被包部材のうち、前記基板の実装面に対し略直交して配設される第１側壁部に対し接着固定されると共に、
前記基板の実装面に対し略直交しかつ前記第１側壁部に対し略直交して配置される第２側壁部に対し接着固定され、
更に、前記被包部材のうち、前記基板の実装面に対し略並行して配設される正面壁部に対し前記被覆部材が接着固定され、
前記基板の実装面上の所定の電子部品に対応して、前記接着手段の一部に切欠き部又は窓部を形成したことをその要旨としている。
【発明の効果】
【０００７】
本発明の遊技機によれば、不正行為を抑止することができるという優れた効果を奏する。
【図面の簡単な説明】
【０００８】
【図１】一実施形態におけるパチンコ機を示す斜視図である。
【図２】（ａ）内枠及び前扉枠を開放した状態を示す斜視図、（ｂ）内枠及び裏パックユニット等を開放した状態を示す斜視図である。
【図３】内枠の構成を示す正面図である。
【図４】遊技盤の構成を示す正面図である。
【図５】（ａ）電動役物が閉鎖状態である場合を示す作動口装置の正面図、（ｂ）電動役物が開放状態である場合を示す作動口装置の正面図である。
【図６】表示ユニットを正面側から見た概略図である。
【図７】内枠の構成を示す背面図である。
【図８】遊技盤の背面構成を示す斜視図である。
【図９】主制御装置ユニットを取り外した状態を示す遊技盤の背面図である。
【図１０】パチンコ機の背面図である。
【図１１】パチンコ機の電気的構成を示すブロック図である。
【図１２】制御装置集合ユニットの正面図である。
【図１３】コネクタカバーを取外した状態の制御装置集合ユニット（取付台を除く）を示す斜視図である。
【図１４】コネクタカバーを取付けた状態の制御装置集合ユニット（取付台を除く）を示す斜視図である。
【図１５】（ａ），（ｂ），（ｃ）は、それぞれコネクタカバーを示す左側面図、正面図、平面図である。
【図１６】（ａ），（ｂ），（ｃ）は、それぞれコネクタカバーを示す左側面図、正面図、平面図である。
【図１７】図１２のＫ−Ｋ線部分断面図である。
【発明を実施するための形態】
【０００９】
上述したように、遊技機の一種としてパチンコ機がある。パチンコ機では、遊技領域に向けて遊技球が発射され、当該遊技球が遊技領域内に配置された入球手段へ入球した場合に、所定数の賞球が払出される。さらに、始動用の入球手段に遊技球が入球した場合には大当たり状態を発生させるか否かの当落抽選を行い、当選結果が得られると遊技者に有利な大当たり状態が発生する。大当たり状態が発生すると、遊技者は、大当たり用の入球手段に遊技球を入球させることにより、多くの賞球を獲得することができる。
【００１０】
パチンコ機等の遊技機には、遊技に関する所定の制御を行う制御基板が各種設けられている。かかる制御基板は、通常、基板ボックスと呼ばれるケース部材内に収容された状態で配置されている。また、各制御基板には、接続ケーブルのコネクタを接続するための端子部が設けられており、当該端子部が基板ボックスの外部に露出している。そして、当該端子部に接続された接続ケーブルを介して、所定の制御基板が他の制御基板等と電気的に接続される（例えば、特許文献１参照。）。
【００１１】
ところが、近年では、例えば遊技機の隙間から侵入させた不正な器具を端子部やコネクタに対し接触させるなど、端子部等に対する不正行為が問題となっている。
【００１２】
例えば、遊技球の払出しを制御する払出制御基板は、接続ケーブルや所定の中継基板等を介して、遊技機横に設置されたカードユニット等と接続されている。当該カードユニットは、遊技者が遊技球の貸出しを受けるためのものであり、これに対し遊技者が磁気カード等の記憶媒体を挿入し、貸出ボタンを操作すると、当該磁気カードに記憶された残高度数（残金）の限度内で、払出制御基板に対し貸出要求信号が出力される。一方、貸出要求信号を入力した払出制御基板は、賞球の払出しと同様、払出装置を駆動し、遊技球の貸出しを実行する。かかる構成の下では、例えばカードユニットと接続される払出制御基板の端子部等に対し不正な部品を差込み、カードユニットからは実際の貸出要求信号が出力されていないにも拘わらず、払出制御手段に対し偽の貸出要求信号を出力する等して、不正に遊技球を獲得するといった不正行為が行われるおそれがある。
【００１３】
勿論、端子部等に対する不正行為は、パチンコ機の払出制御基板等に限らず、他の遊技機や他の基板等に対しても行われるおそれのある問題である。
【００１４】
本発明は、上記例示した問題点などを解決するためになされたものであり、その目的は、不正行為を抑止することのできる遊技機を提供することにある。
【００１５】
以下、遊技機の一種であるパチンコ遊技機（以下、「パチンコ機」という）の一実施の形態を、図面に基づいて詳細に説明する。図１はパチンコ機１０を示す斜視図である。図２（ａ）は内枠１３及び前扉枠１４を開放した状態を示す斜視図であり、図２（ｂ）は内枠１３及び裏パックユニット１５等を開放した状態を示す斜視図である。なお、図２（ａ）では便宜上パチンコ機１０における遊技領域ＰＥ内の構成やガラスユニット２２等を省略している。
【００１６】
図１に示すように、パチンコ機１０は、当該パチンコ機１０の外殻を形成する外枠１１と、この外枠１１に取り付けられた遊技機主部１２とを有している。
【００１７】
外枠１１は木製の板材を四辺に連結し構成されるものであって矩形枠状をなしている。外枠１１を島設備に取り付け固定することにより、パチンコ機１０が遊技ホールに設置される。なお、パチンコ機１０において外枠１１は必須の構成ではなく、遊技場の島設備に外枠１１が備え付けられた構成としてもよい。
【００１８】
遊技機主部１２は、外枠１１によって開閉可能な状態で支持されている。具体的には、外枠１１における上枠部と左枠部との連結部分に上側支持用金具１７が固定されており、さらに外枠１１における下枠部と左枠部との連結部分に下側支持用金具１８が設けられている。これら上側支持用金具１７及び下側支持用金具１８により支持機構が構成され、当該支持機構により外枠１１に対して遊技機主部１２がパチンコ機１０の正面視で左側を回動基端側、右側を回動先端側としてパチンコ機１０の前方へ回動可能とされている。
【００１９】
図２（ａ），（ｂ）に示すように、遊技機主部１２は、ベース体としての内枠１３と、その内枠１３の前方に配置される前扉枠１４と、内枠１３の後方に配置される裏パックユニット１５とを備えている。なお、遊技機主部１２のうち内枠１３が外枠１１に対して回動可能に支持されている。詳細には、正面視で左側を回動基端側とし右側を回動先端側として内枠１３が前方へ回動可能とされている。
【００２０】
内枠１３には、前扉枠１４が回動可能に支持されており、正面視で左側を回動基端側とし右側を回動先端側として前方へ回動可能とされている。また、内枠１３には、裏パックユニット１５が回動可能に支持されており、正面視で左側を回動基端側とし右側を回動先端側として後方へ回動可能とされている。
【００２１】
次に、前扉枠１４について説明する。図１に示すように、前扉枠１４は、外形が外枠１１とほぼ同一形状をなす合成樹脂製の枠体２０を主体に構成されており、内枠１３における前面のほぼ全域を覆っている。枠体２０の中央部分には後述する遊技領域ＰＥのほぼ全域を前方から視認することができるようにした略楕円状の窓部２１が形成されており、その窓部２１はガラスユニット２２によって同前扉枠１４の背面側から塞がれている。
【００２２】
ガラスユニット２２は、透明性を有する複数のガラスパネル２３と、それらガラスパネル２３を保持するガラスホルダとを備えている。ガラスホルダには、ガラスパネル２３の保持領域を前後に仕切る仕切り部が形成されており、両ガラスパネル２３は仕切り部を挟んで前後に相対向している。つまり、両ガラスパネル２３の間に所定の隙間を確保することにより、ガラスパネル２３同士の干渉を回避しつつ、それらガラスパネル２３によって遊技領域ＰＥをパチンコ機１０の正面側から２重に覆った状態となっている。
【００２３】
なお、必ずしも両ガラスパネル２３をガラスホルダを用いてユニット化する必要は無く、各ガラスパネル２３を枠体２０に対して個々に取り付ける構成としてもよい。更には、ガラスパネルの枚数は任意であり、１枚としてもよいし、３枚以上としてもよい。但し、安全性及び防犯性向上の観点から、複数のガラスパネルを採用し、それら各ガラスパネルを所定の隙間を挟んで前後に対向させることが好ましい。因みに、ガラスパネルに代えて透明性を有する合成樹脂性のパネル部材を採用することも可能である。
【００２４】
ガラスユニット２２（詳しくは窓部２１）の周囲には、各種ランプ等の発光手段が設けられている。例えば、窓部２１の周縁に沿ってＬＥＤ等の発光手段を内蔵した環状電飾部２６が設けられている。環状電飾部２６では、大当たり時や所定のリーチ時等における遊技状態の変化に応じて点灯や点滅が行われる。また、環状電飾部２６の中央であってパチンコ機１０の最上部には所定のエラー時に点灯するエラー表示ランプ部２７が設けられ、さらにその左右側方には賞球払出中に点灯する賞球ランプ部２８が設けられている。また、左右の賞球ランプ部２８に近接した位置には、遊技状態に応じた効果音などが出力されるスピーカ部２９が設けられている。
【００２５】
前扉枠１４（枠体２０）における窓部２１の下方には、手前側へ膨出した上側膨出部３１と下側膨出部３２とが上下に並設されている。上側膨出部３１内側には上方に開口した上皿３３が設けられており、下側膨出部３２内側には同じく上方に開口した下皿３４が設けられている。上皿３３は、後述する払出装置より払い出された遊技球を一旦貯留し、一列に整列させながら後述する遊技球発射機構側へ導くための機能を有する。また、下皿３４は、上皿３３内にて余剰となった遊技球を貯留する機能を有する。
【００２６】
また、上側膨出部３１の右端には、遊技ホールにてパチンコ機１０の横側（左側）に隣接して配置される貸出指示手段としてのカードユニット（図１１参照）に対応して、貸球操作部４２０が配設されている。貸球操作部４２０は、カードユニットを操作するためのものであり、後述するカードユニット接続基板２５０を介してカードユニットに接続されている。
【００２７】
貸球操作部４２０は、貸出ボタン４２１と、返却ボタン４２２と、度数表示部４２３とを備えている。
【００２８】
貸出ボタン４２１は、遊技者が遊技球の貸出しを受けるために操作するものである。カードユニットに紙幣や磁気カードを挿入した状態で、この貸出ボタン４２１が押下操作されると、磁気カードに残高度数が存在する限りにおいて、貸出しが実行され、貸球が上皿３３に供給される。
【００２９】
返却ボタン４２２は、カードユニットに挿入された磁気カードの返却を遊技者が求める際に操作するものである。返却ボタン４２２が押下操作されると、カードユニットに挿入中の磁気カードが、カード挿入口から排出される。この際、最新の残高度数が磁気カードに書き込まれる。
【００３０】
度数表示部４２３は、カードユニットにより読み取られた磁気カードの残高度数を表示するためのものであり、例えば複数の７セグメントＬＥＤよりなる。
【００３１】
下側膨出部３２の右方には、手前側へ突出するようにして遊技球発射ハンドル４１が設けられている。遊技球発射ハンドル４１が操作されることにより、後述する遊技球発射機構から遊技球が発射される。
【００３２】
図２（ａ）に示すように、前扉枠１４の背面には、通路形成ユニット１６が取り付けられている。通路形成ユニット１６は、合成樹脂により成形されており、上皿３３に通じる前扉側上皿通路１６ａと、下皿３４に通じる前扉側下皿通路１６ｂとが形成されている。通路形成ユニット１６において、その上側隅部には後方に突出し上方に開放された受口部１６ｃが形成されており、当該受口部１６ｃを仕切壁によって左右に仕切ることで前扉側上皿通路１６ａの入口部分と前扉側下皿通路１６ｂの入口部分とが区画形成されている。前扉側上皿通路１６ａ及び前扉側下皿通路１６ｂは上流側が後述する遊技球分配部に通じており、前扉側上皿通路１６ａに入った遊技球は上皿３３に導かれ、前扉側下皿通路１６ｂに入った遊技球は下皿３４に導かれる。
【００３３】
前扉枠１４の背面における回動基端側には、その上端部及び下端部に突起軸が設けられている。これら突起軸は内枠１３に対する組付機構を構成する。また、前扉枠１４の背面における回動先端側には、図２（ａ）に示すように、後方に延びる鉤金具６３が上下方向に複数並設されている。これら鉤金具６３は内枠１３に対する施錠機構を構成する。
【００３４】
次に、図３に基づき内枠１３について詳細に説明する。図３は内枠１３の正面図である。なお、図３においては図２（ａ）と同様に便宜上パチンコ機１０の遊技領域ＰＥ内の構成を省略している。
【００３５】
内枠１３は、外形が外枠１１と同様に略矩形状をなす樹脂ベース７０を主体に構成されている。樹脂ベース７０の高さ寸法は、外枠１１の高さ寸法よりも若干小さく設定されている。また、樹脂ベース７０は外枠１１の上側枠部に寄せて配置され、外枠１１の下側枠部と樹脂ベース７０との間には若干の隙間が形成されている。外枠１１にはこの隙間を塞ぐようにして幕板１１ａが装着されている。幕板１１ａは、樹脂ベース７０（詳しくはその下端部）の下方に配置されており、内枠１３が外枠１１に対して閉じられた状態では樹脂ベース７０が幕板１１ａの上に載ることとなる。なお、幕板１１ａと樹脂ベース７０との間に若干のクリアランスを設けてもよい。
【００３６】
樹脂ベース７０の前面における回動基端側（図３の左側）には、その上端部及び下端部に支持金具７１，７２が取り付けられている。図示は省略するが、支持金具７１，７２には軸孔が形成されており、それら軸孔に前扉枠１４の突起軸が挿入されることにより、内枠１３に対して前扉枠１４が回動可能に支持されている。
【００３７】
樹脂ベース７０の前面における回動先端側（図３の右側）には、前扉枠１４の背面に設けられた鉤金具６３（図２（ａ）参照）を挿入するための挿入孔７３がそれぞれ設けられている。本パチンコ機１０では、内枠１３や前扉枠１４を施錠状態とするための施錠装置７５が内枠１３の背面側に隠れて配置される構成となっている。したがって、鉤金具６３が挿入孔７３を介して施錠装置７５（詳しくは前扉用鉤受け部材７６）に係止されることによって、前扉枠１４が内枠１３に対して開放不能に施錠される。また、施錠装置７５は、内枠１３の後方へ延びる内枠用鉤部材７７を有している。これら内枠用鉤部材７７が外枠１１の鉤受け部材１９に引っ掛かることにより遊技機主部１２が外枠１１に対して閉じた状態で施錠される。
【００３８】
樹脂ベース７０の右下隅部には、施錠装置７５の解錠操作を行うためのシリンダ錠７８が設置されている。シリンダ錠７８は施錠装置７５に一体化されており、シリンダ錠７８の鍵穴に差し込んだキーを右に回すと内枠１３に対する前扉枠１４の施錠が解除され、シリンダ錠７８の鍵穴に差し込んだキーを左に回すと外枠１１に対する内枠１３の施錠が解除されるように施錠装置７５が構成されている。
【００３９】
樹脂ベース７０の中央部には略楕円形状の窓孔７４が形成され、樹脂ベース７０に装着された遊技盤８０によって同窓孔７４が後方から塞がれている。遊技盤８０は、木製の合板と同合板における前側の板面を覆うシート材とを有してなり、その前面が上記窓孔７４を通じて樹脂ベース７０の正面側に露出している。この露出している部位、すなわち遊技盤８０の前面には、遊技球が流下する遊技領域ＰＥが形成されている。既に説明したように遊技領域ＰＥはガラスユニット２２（詳しくは後側のガラスパネル２３）によって覆われている。ガラスユニット２２は、後側のガラスパネル２３と遊技盤８０の前面との隙間が遊技球の直径よりも僅かに大きくなるように、すなわち遊技領域ＰＥを流下する遊技球が同遊技領域ＰＥの同一箇所にて前後に並ばないように配置されている。これにより、遊技領域ＰＥでの球詰まりを抑制している。なお、遊技盤８０は木製に限定されるものではなく、合成樹脂製とすることも可能である。
【００４０】
以下、図４に基づき遊技盤８０（特に遊技領域ＰＥに配された各種構成）について説明する。図４は遊技盤８０の正面図である。
【００４１】
遊技盤８０には、ルータ加工が施されることによって自身の厚さ方向（前後方向）に貫通する大小複数の開口が形成されている。各開口には、一般入賞口８１、可変入賞装置８２，８３、作動口８４，８５、スルーゲート８６、主表示ユニット８７及び可変表示ユニット８８等がそれぞれ配設されている。一般入賞口８１、可変入賞装置８２，８３及び作動口８４，８５に遊技球が入ると、それら遊技球が後述する検知センサにより検知され、その検知結果に基づいて所定数の賞球の払い出し等の特典が遊技者に付与される。その他に、遊技盤８０の最下部にはアウト口８９が設けられており、各種入賞口等に入らなかった遊技球はアウト口８９を通って遊技領域ＰＥから排出される。以下の説明では、アウト口８９への遊技球の入球と明確に区別するために、一般入賞口８１、可変入賞装置８２，８３、作動口８４，８５、スルーゲート８６への遊技球の入球を、入賞とも表現する。
【００４２】
また、遊技盤８０には、遊技球の流下経路を適宜分散，調整等するために多数の釘９０が植設されているとともに、風車等の各種部材（役物）が配設されている。これら釘９０や風車等の各種構成によって、遊技球の流下経路が分化され、上述した一般入賞口８１等への入賞が適度な確率で発生するように調整されている。
【００４３】
上記可変表示ユニット８８は遊技盤８０の中央に配されており、同可変表示ユニット８８の周辺に作動口８４，８５等が配設されている。作動口８４，８５は、可変表示ユニット８８の下方に配設された下側の作動口８４（以下便宜上、下作動口８４と称する）と、同可変表示ユニット８８の右方に配設された右側の作動口８５（以下便宜上、右作動口８５と称する）とによって構成されており、特に右作動口８５には、開閉式の入球補助装置としての電動役物９１が設けられている。図５の模式図に示すように電動役物９１は、左右一対の可動片９１ａと同可動片９１ａを駆動させるソレノイド式の駆動部（電動役物駆動部）９１ｂとを有してなり、図５（ａ）に示すように右作動口８５への入球が可能又は容易となる開状態と、図５（ｂ）に示すように同入球が不可又は困難となる閉状態とに切替可能となっている。
【００４４】
再び図４を参照して説明すれば、この右作動口８５の上方に上記スルーゲート８６が配置されており、遊技球のスルーゲート８６の通過をトリガとした抽選にて当選となった場合には、電動役物９１が所定時間だけ開状態となる。
【００４５】
なお、下作動口８４への入球が発生した場合には３個の遊技球の払出が実行され、右作動口８５への入球が発生した場合には４個の遊技球の払出が実行されるが、遊技球の払出個数は上記のものに限定されることはない。但し、下作動口８４に対する右作動口８５の有利性を高める上では、下作動口８４に係る払出個数よりも右作動口８５に係る払出個数を多く設定することが好ましい。
【００４６】
可変入賞装置８２，８３についても、下作動口８４及び右作動口８５と同様に、可変表示ユニット８８の下方及び右方に個別に配置されている。以下便宜上、可変表示ユニット８８の下方（詳しくは下作動口８４の下方）に配置された可変入賞装置８２を「下側可変入賞装置８２」と称し、可変表示ユニット８８の右方（詳しくは右作動口８５の下方）に配置された可変入賞装置８３を「右側可変入賞装置８３」と称する。
【００４７】
下側可変入賞装置８２は、遊技盤８０の背面側へと通じる大入賞口８２ａを備えているとともに、当該大入賞口８２ａを開閉する開閉部材としての開閉扉８２ｂを備えている。開閉扉８２ｂは、遊技球の入球が可能又は容易となる開状態と、同入球が不可又は困難となる閉状態とに切替可能となっている。また、同開閉扉８２ｂは、遊技盤８０の背面側に設けられた可変入賞駆動部８２ｃ（詳しくはソレノイド）と連結されており、通常時においては開閉扉８２ｂは閉状態のまま維持され、内部抽選において開閉実行モードへの移行に当選した場合に開状態に切り替えられるようになっている。
【００４８】
ここで、開閉実行モードとは、大当たり当選となった場合に移行することとなるモードである。当該開閉実行モードにおける可変入賞装置８２の開放態様としては、例えば所定時間（例えば３０ｓｅｃ）の経過又は所定個数（例えば１０個）の入賞を１ラウンドとして、複数ラウンド（例えば１５ラウンド）を上限とした開閉扉８２ｂの開放が繰り返されるように設定されているものがある。
【００４９】
右側可変入賞装置８３は、下側可変入賞装置８２と同様に、遊技盤８０の背面側へと通じる右側大入賞口３０２と、当該右側大入賞口３０２を開閉する開閉部材としての開閉扉３０３とを備えている。開閉扉３０３は、遊技球の入球が可能又は容易となる開状態と、同入球が不可又は困難となる閉状態とに切替可能となっている。また、同開閉扉３０３は、遊技盤８０の背面側に設けられた可変入賞駆動部３０４（図１１参照）と連結されており、通常時においては、開閉扉３０３は閉状態のまま維持され、右作動口８５への入球に基づく内部抽選において後述する特別当たりに当選した場合に抽選結果確定モードに切り替えられるようになっている。
【００５０】
抽選結果確定モードとは、右作動口８５における抽選結果（特別当たり）が有効となって下側可変入賞装置８２が開閉実行モードへ移行されるか、つまり開閉実行モードへの移行が確定されるか、それとも抽選結果が無効となり開閉実行モードへの移行が回避されるかを抽選するモードである。
【００５１】
右側可変入賞装置８３は、右側大入賞口３０２へ流入した遊技球を案内する案内通路と、当該案内流路の下流側にて分岐した第１下流側通路及び第２下流側通路と、案内流路から流下する遊技球を第１下流側通路又は第２下流側通路へと誘導する切替部材とを備え、右側大入賞口３０２へ流入した遊技球はその流入タイミング等に応じてその移動先が変化する構成となっている。
【００５２】
詳しくは、開閉扉３０３は上記右作動口８５への入賞に基づく抽選にて特別当たりが発生した場合に閉鎖状態から開放状態に切り替り、これと同期して切替部材が遊技球を第２下流側通路へ誘導する誘導状態へと切り替る。そして、第２下流側通路へと流入した遊技球が検知センサ３２５（図１１参照）によって検知されると右作動口８５への入賞に基づく抽選結果に応じた当たりが確定し、第１下流側通路へと流入した遊技球が検知センサ３２６（図１１参照）によって検知されると右作動口８５への入賞に基づく抽選結果に応じた当たりがキャンセルされる。
【００５３】
ここで、大当たり結果と特別当たり結果と違いについて説明する。各作動口８４，８５への入賞に基づいた抽選により大当たり結果となった場合には、下側可変入賞装置８２が開閉実行モードへ移行される。一方、同抽選により特別当たり結果となった場合には、直ちに下側可変入賞装置８２が開閉実行モードへ移行されるのではなく、もう一度別の抽選を行う権利が付与されることとなり、その抽選に当選することで上記大当たり結果の場合と同様に下側可変入賞装置８２が開閉実行モードへ移行されることとなる。
【００５４】
具体的には、特別当たり結果となった場合には、先ず右側可変入賞装置８３が開状態に移行される。その際、右側大入賞口３０２に入賞した遊技球が上記第２下流側通路に流入することで当たりが確定し、下側可変入賞装置８２が開閉実行モードに移行される。言い換えれば、特別当たりに当選した場合には、第２下流側通路への入球を契機として大当たりと同様の結果が遊技者に対して付与される。なお、第２下流側通路への入球によって当たりが確定する点に着目すれば、同第２下流側通路を「有利入球部（特定入球部）」と称することも可能である。
【００５５】
次に、可変表示ユニット８８について説明する。可変表示ユニット８８には、作動口８４，８５への入賞をトリガとして図柄を可変表示する図柄表示装置９６が設けられている。また、可変表示ユニット８８には、図柄表示装置９６を囲むようにしてセンターフレーム９７が配設されている。センターフレーム９７の下部には、下作動口８４に対応する下作動口用保留ランプ部９８と、右作動口８５に対応する右作動口用保留ランプ部９９とが設けられている。本実施の形態においては、遊技球が各作動口８４，８５を通過した回数はそれぞれ最大４回まで保留される構成となっているが、保留ランプ部９８，９９の点灯によって各作動口８４，８５に対応する保留個数が個別に表示されるようになっている。
【００５６】
図柄表示装置９６は、液晶ディスプレイを備えた液晶表示装置として構成されており、後述する表示制御装置により表示内容が制御される。図柄表示装置９６には、例えば左、中及び右に並べて図柄が表示され、これらの図柄が上下方向にスクロールされるようにして変動表示されるようになっている。そして、予め設定されている有効ライン上に所定の組合せの図柄が停止表示された場合には、特別遊技状態（以下、大当たりという）が発生することとなる。
【００５７】
作動口８４，８５は、可変表示ユニット８８寄りとなる位置に配置されている。作動口８４，８５への入賞をトリガとして、大当たりが発生し得るため、遊技者は作動口８４，８５に入賞するか否かに注目するとともに、大当たりが発生するか否かを把握するため図柄表示装置９６に注目するものと考えられる。作動口８４，８５を可変表示ユニット８８寄りに設けたことは、遊技者が注目したい箇所を可変表示ユニット８８周辺に集中させるための工夫である。
【００５８】
可変表示ユニット８８を挟んで右側可変入賞装置８３とは反対側には、上記主表示ユニット８７が配されている。主表示ユニット８７は、遊技領域ＰＥの下部側の外縁に沿って配置されており、遊技盤８０の前面からパチンコ機１０前方に突出している。主表示ユニット８７の前面は、遊技領域ＰＥをパチンコ機１０前方から視認可能とする上記ガラスユニット２２（詳しくは後側のガラスパネル２３）と対向しており、さらに後側のガラスパネル２３との間の距離は遊技球１個分よりも狭くなっている。これにより、主表示ユニット８７の前面の前方を遊技球が落下することが回避されている。
【００５９】
ここで、図６を参照して主表示ユニット８７について補足説明する。図６は主表示ユニット８７を正面側から見た概略図である。
【００６０】
主表示ユニット８７においてガラスユニット２２と対向している部分には、所定の絵柄等が表示される主表示部Ｄが設けられている。主表示部Ｄは、下作動口８４への入賞に基づいた抽選結果を表示する下作動口用表示部ＤＬと、右作動口８５への入賞に基づいて行われた抽選結果を表示する右作動口用表示部ＤＲとを有してなる。
【００６１】
下作動口用表示部ＤＬでは、下作動口８４への入賞をトリガとして絵柄の変動表示が行われ、その変動表示の停止結果として、下作動口８４への入賞に基づいて行われた内部抽選の結果が明示される。下作動口８４への入賞に基づく内部抽選の結果が開閉実行モードへの移行に対応した当選結果であった場合には、下作動口用表示部ＤＬにて変動表示が停止され、停止結果として所定の絵柄が表示された後に、上記開閉実行モードへ移行される。
【００６２】
右作動口用表示部ＤＲでは、右作動口８５への入賞をトリガとして絵柄の変動表示が行われ、その変動表示の停止結果として、右作動口８５への入賞に基づいて行われた内部抽選の結果が明示される。右作動口８５への入賞に基づく内部抽選の結果が大当たり又は特別当たりに対応した当選結果であった場合には、右作動口用表示部ＤＲにて変動表示が停止され、停止結果として所定の絵柄が表示された後に、その結果に応じて上記開閉実行モード又は抽選結果確定モードに移行される。
【００６３】
ここで、いずれかの作動口８４，８５への入賞に基づいて、対応する表示部ＤＬ，ＤＲにて変動表示が開始され、所定の停止結果を表示し上記変動表示が停止されるまでが遊技回の１回に相当する。但し、遊技回の１回は、上記の内容に限定されることはなく、例えば、主表示ユニット８７において単一の表示領域が設けられ、いずれの作動口８４，８５への入賞が発生したとしてもその単一の表示領域にて変動表示が行われる構成においては、当該単一の表示領域にて変動表示が開始され、所定の停止結果を表示した状態で上記変動表示が停止されるまでを遊技回の１回とする。
【００６４】
また、主表示ユニット８７の主表示部Ｄには両表示部ＤＬ，ＤＲ以外に、スルーゲート８６への入賞に基づいた抽選結果を表示するスルーゲート用表示部ＤＳが併設されている。スルーゲート用表示部ＤＳでは、スルーゲート８６への入賞をトリガとして絵柄の変動表示が行われ、その変動表示の停止結果として、スルーゲート８６への入賞に基づいて行われた内部抽選の結果が明示される。スルーゲート８６への入賞に基づく内部抽選の結果が電役開放状態への移行に対応した当選結果であった場合には、スルーゲート用表示部ＤＳにて所定の停止結果が表示されて変動表示が停止された後に、電役開放状態へ移行する。電役開放状態では、右作動口８５に設けられた上記電動役物９１が所定の態様で開放される。
【００６５】
更に、本実施の形態においては遊技球がスルーゲート８６を通過した回数は最大４回まで保留される構成が採用されているが、主表示ユニット８７の主表示部Ｄにはその保留個数を表示する保留数用表示部ＤＨが設けられている。
【００６６】
これら各表示部ＤＬ，ＤＲ，ＤＳ，ＤＨについては、前扉枠１４のガラスユニット２２を通じてパチンコ機１０前方から視認可能となっているとともに、これら各種表示部ＤＬ，ＤＲ，ＤＳ，ＤＨの前方を遊技球が移動することが回避されることで視認性が担保されている。
【００６７】
再び図３を用いて内枠１３の構成について説明すれば、樹脂ベース７０における遊技盤８０の下方には、上記遊技球発射ハンドル４１の操作に基づいて遊技領域ＰＥへ遊技球を発射する発射手段としての遊技球発射機構１１０が設けられている。遊技球発射機構１１０は、所定の発射待機位置に配置された遊技球を打ち出すソレノイド１１１と、同ソレノイド１１１によって打ち出された遊技球の発射方向を規定する発射レール１１２と、上記発射待機位置に遊技球を供給する球送装置１１３と、それら各種構成１１１〜１１３が装着されているベースプレート１１４とを主要な構成として備えており、同ベースプレート１１４が樹脂ベース７０に固定されることで、樹脂ベース７０に対して一体化されている。
【００６８】
発射レール１１２は、遊技盤８０側に向けて上り傾斜となるように、斜めに傾いた状態でベースプレート１１４に固定されている。発射レール１１２の下流側の端部（すなわち下端部）寄りとなる位置には、球送装置１１３から供給された遊技球を上述した発射待機位置に留める球ストッパが配されている。球ストッパよりも更に下流側となる位置に、上記ソレノイド１１１が配置されている。
【００６９】
ソレノイド１１１は、後述する電源・発射制御装置に対して電気的に接続されている。その電源・発射制御装置からの電気的な信号の出力に基づいてソレノイド１１１の出力軸が伸縮方向に往復動することにより、発射待機位置に置かれた遊技球が遊技盤８０側、詳しくは遊技盤８０に装着された誘導レール１００に向けて打ち出される。
【００７０】
誘導レール１００は、遊技領域ＰＥを同遊技領域ＰＥの外形が略円形状となるように区画形成している。また、誘導レール１００は、遊技球の直径よりも若干大きな隙間を隔てて対峙するように配置された内レール１０１及び外レール１０２からなり、それら両レール１０１，１０２によって一条の誘導通路１０３が区画形成されている。誘導通路１０３は、発射レール１１２の先端側（斜め下方）に開放された入口部分と、遊技領域ＰＥの上部に位置する出口部分とを有している。ソレノイド１１１の動作に基づいて発射された遊技球は、発射レール１１２→誘導レール１００（入口部分→出口部分）の順に移動することにより遊技領域ＰＥに導かれる。なお、遊技盤８０において出口部分の先側、詳しくは内レール１０１の先端付近には、遊技領域ＰＥに到達した遊技球の同誘導通路１０３内への逆戻りを防止する逆戻り防止部材１０６が取り付けられており、先んじて遊技領域ＰＥに至った遊技球によって後続する遊技球の打ち出しが妨げられることを抑制している。
【００７１】
誘導レール１００を構成している各レール１０１，１０２は、遊技領域ＰＥの略中央部分を中心とする円弧状をなしている。このため、誘導通路１０３を通過する遊技球は、自身に発生する遠心力により外レール１０２に沿って、すなわち外レール１０２に接触したまま移動（摺動又は転動）しやすくなっている。
【００７２】
同図３に示すように、誘導レール１００及び発射レール１１２は、同誘導レール１００の入口部分と発射レール１１２の先端部分とが遊技盤８０の下端縁を挟んで斜めに対峙するように配置されている。つまり、それら両レール１００，１１２は、同誘導レール１００の入口部分と発射レール１１２の先端部分とが遊技盤８０の下端縁近傍にて左右にずれるようにして配置されている。これにより両レール１００，１１２を遊技盤８０の下端縁に近づけつつ、誘導レール１００の入口部分と発射レール１１２との間には所定間隔の隙間を形成している。
【００７３】
前扉枠１４の閉鎖時において、上記隙間の下側に位置する上記通路形成ユニット１６にはファール球通路１６ｄが形成されている。仮に遊技球発射機構１１０から発射された遊技球が遊技領域ＰＥまで至らずファール球として誘導通路１０３内を逆戻りする場合には、それらファール球が上記隙間を介してファール球通路１６ｄ内に入ることとなる。ファール球通路１６ｄは前扉側下皿通路１６ｂに通じており、ファール球通路１６ｄに入った遊技球は図１に示した下皿３４に排出される。これにより、ファール球と次に発射される遊技球との干渉が抑制される。
【００７４】
樹脂ベース７０において発射レール１１２の左方（詳しくは前扉枠１４を支持している側）には樹脂ベース７０を前後方向に貫通する貫通孔が形成されており、この貫通孔に通路形成部材１２１が配設されている。通路形成部材１２１は、樹脂ベース７０に対してネジ止めされており、本体側上皿通路１２２と本体側下皿通路１２３とを有している。それら本体側上皿通路１２２及び本体側下皿通路１２３の上流側は、後述する遊技球分配部に通じている。また、通路形成部材１２１の下方には前扉枠１４に取り付けられた通路形成ユニット１６の受口部１６ｃが入り込んでおり、本体側上皿通路１２２の下方には前扉側上皿通路１６ａが配置され、本体側下皿通路１２３の下方には前扉側上皿通路１６ｂが配置されている。
【００７５】
樹脂ベース７０において通路形成部材１２１の下方には、本体側上皿通路１２２及び本体側下皿通路１２３を開閉する開閉部材１２４が取り付けられている。開閉部材１２４はその下端に設けられた支軸により前後方向に回動可能に支持されており、さらに本体側上皿通路１２２及び本体側下皿通路１２３を閉鎖する前方位置に付勢する付勢部材が設けられている。従って、前扉枠１４を内枠１３に対して開いた状態では開閉部材１２４が図示の如く起き上がり、本体側上皿通路１２２及び本体側下皿通路１２３を閉鎖する。これにより、本体側上皿通路１２２又は本体側下皿通路１２３に遊技球が貯留されている状態で前扉枠１４を開放した場合、その貯留球がこぼれ落ちてしまうといった不都合が防止できる。これに対し、前扉枠１４を閉じた状態では、前扉枠１４の通路形成ユニット１６に設けられた受口部１６ｃにより付勢力に抗して開閉部材１２４が押し開けられる。この状態では、本体側上皿通路１２２と前扉側上皿通路１６ａとが連通し、さらに本体側下皿通路１２３と前扉側下皿通路１６ｂとが連通している。
【００７６】
次に、図７に基づき内枠１３（樹脂ベース７０及び遊技盤８０）の背面構成について説明する。図７は内枠１３の背面図である。
【００７７】
樹脂ベース７０の背面における回動基端側（図７の右側）には、軸受け金具１３２が上下に並設されている。軸受け金具１３２には、上下に離間させて軸受け部が形成されており、これら軸受け部により内枠１３に対して裏パックユニット１５が回動可能に取り付けられている。
【００７８】
樹脂ベース７０の背面には、係止金具１３５が複数設けられており、これら係止金具１３５によって上述したように樹脂ベース７０に対して遊技盤８０が取り付けられている。ここで、図８及び図９を参照して遊技盤８０の背面の構成を説明する。図８は遊技盤８０を遊技機後方から見た斜視図、図９は遊技盤８０から主制御装置ユニットを取り外した状態を示す背面図である。
【００７９】
図８に示すように、遊技盤８０の中央に配置される可変表示ユニット８８には、センターフレーム９７を背後から覆う合成樹脂製のフレームカバー１４１が後方に突出させて設けられており、フレームカバー１４１に対して後側から上述した図柄表示装置９６が取り付けられるとともに、その図柄表示装置９６を駆動するための表示制御装置が取り付けられている（図示は省略）。これら図柄表示装置９６及び表示制御装置は前後方向に重ねて配置され（図柄表示装置が前、表示制御装置が後）、さらにその後方に音声ランプ制御装置ユニット１４２が搭載されている。音声ランプ制御装置ユニット１４２は、音声ランプ制御装置１４３と、取付台１４４とを具備する構成となっており、取付台１４４上に音声ランプ制御装置１４３が装着されている。
【００８０】
音声ランプ制御装置１４３は、後述する主制御装置からの指示に従い音声やランプ表示、及び表示制御装置の制御を司る音声ランプ制御基板を具備しており、音声ランプ制御基板が透明樹脂材料等よりなる基板ボックス１４５に収容されて構成されている。
【００８１】
図９に示すように、可変表示ユニット８８の下方には一般入賞口８１や作動口８４，８５等を介して遊技盤８０の背面側に移動した遊技球を回収する集合板ユニット１５０が設けられている。集合板ユニット１５０は遊技盤８０に固定されており、同集合板ユニット１５０には当該集合板ユニット１５０を後方から覆うようにして主制御装置ユニット１６０が搭載されている（図８参照）。なお、主制御装置ユニット１６０の搭載対象は、集合板ユニット１５０に限定されるものではない。例えば、主制御装置ユニット１６０を遊技盤８０に搭載することも可能である。
【００８２】
主制御装置ユニット１６０は、合成樹脂製を用いて形成された無色透明な取付台１６１と、同取付台１６１に搭載された主制御装置１６２とによって構成されている。取付台１６１は、集合板ユニット１５０によって回動可能に支持されており、取付台１６１ごと主制御装置ユニット１６０を回動させることで同取付台１６１から主制御装置１６２を取り外すことなく目視による確認作業が可能となっている。
【００８３】
主制御装置１６２は、遊技の主たる制御を司る機能（主制御回路）と、電源を監視する機能（停電監視回路）とを有する主制御基板を具備しており、当該主制御基板が透明樹脂材料等よりなる基板ボックス１６３に収容されて構成されている。
【００８４】
基板ボックス１６３は、略直方体形状のボックスベース（表ケース体）とこのボックスベースの開口部を覆うボックスカバー（裏ケース体）とを備えている。これらボックスベースとボックスカバーとは封印手段としての封印部１６４によって開封不能に連結され、これにより基板ボックス１６３が封印されている。封印部１６４は、基板ボックス１６３の長辺部に５つ設けられ、そのうち少なくとも一つが用いられて封印処理が行われる。
【００８５】
封印部１６４はボックスベースとボックスカバーとを開封不能に結合する構成であれば任意の構成が適用できるが、封印部１６４を構成する長孔に係止爪を挿入することでボックスベースとボックスカバーとが開封不能に結合されるようになっている。封印部１６４による封印処理は、その封印後の不正な開封を防止し、また万一不正開封が行われてもそのような事態を早期に且つ容易に発見可能とするものであって、一旦開封した後でも再度封印処理を行うこと自体は可能である。すなわち、５つの封印部１６４のうち、少なくとも一つの長孔に係止爪を挿入することにより封印処理が行われる。そして、収容した主制御基板の不具合発生の際や主制御基板の検査の際など基板ボックス１６３を開封する場合には、係止爪が挿入された封印部と他の封印部との連結部分を切断する。これにより、基板ボックス１６３のボックスベースとボックスカバーとが分離され、内部の主制御基板を取り出すことができる。その後、再度封印処理する場合は他の封印部の長孔に係止爪を挿入する。基板ボックス１６３の開封を行った旨の履歴を当該基板ボックス１６３に残しておけば、基板ボックス１６３を見ることで不正な開封が行われた旨が容易に発見できる。
【００８６】
基板ボックス１６３の一方の短辺部には、その側方に突出するようにして複数の結合片が設けられている。これら結合片は、取付台１６１に形成された複数の被結合片と１対１で対応しており、結合片と被結合片とにより基板ボックス１６３と取付台１６１との間で封印処理が行われる。
【００８７】
次に、図２及び図１０に基づき裏パックユニット１５について説明する。図１０はパチンコ機１０の背面図である。
【００８８】
既に説明したように内枠１３は裏パックユニット１５によって後方から覆われている。図１０に示すように、裏パックユニット１５は、裏パック２０１を備えており、当該裏パック２０１に対して、払出機構部２０２、排出通路盤２０３及び制御装置集合ユニット２０４が取り付けられている。
【００８９】
裏パック２０１は透明性を有する合成樹脂により成形されており、払出機構部２０２などが取り付けられるベース部２１１と、パチンコ機１０後方に突出し略直方体形状をなす保護カバー部２１２とを有する。保護カバー部２１２は左右側面及び上面が閉鎖され且つ下面のみが開放された形状をなし、少なくとも上記可変表示ユニット８８を囲むのに十分な大きさを有する。
【００９０】
ベース部２１１には、その右上部に外部端子板２１３が設けられている。外部端子板２１３には各種の出力端子が設けられており、これらの出力端子を通じて遊技ホール側の管理制御装置に対して各種信号が出力される。また、ベース部２１１にはパチンコ機１０後方からみて右端部に上下一対の掛止ピン２１４が設けられており、掛止ピン２１４を内枠１３に設けられた軸受け金具１３２（詳しくは軸受け部）に挿通させることで、裏パックユニット１５が内枠１３に対して回動可能に支持されている。また、ベース部２１１における回動先端部には、内枠１３に設けられた被締結孔７９に対して締結するための締結具２１５が設けられており、当該締結具２１５を被締結孔７９に嵌め込むことで内枠１３に対して裏パックユニット１５が固定されている。
【００９１】
ベース部２１１には、保護カバー部２１２を迂回するようにして払出機構部２０２が配設されている。払出機構部２０２には、裏パック２０１の最上部に配されているとともに上方に開口したタンク２２１が設けられており、遊技ホールの島設備から供給される遊技球がそのタンク２２１に逐次補給される。タンク２２１の下方には、下流側に向けて緩やかに傾斜するタンクレール２２２が連結され、タンクレール２２２の下流側には上下方向に延びるケースレール２２３が連結されている。ケースレール２２３の最下流部には払出手段としての払出装置２２４が設けられている。払出装置２２４より払い出された遊技球は、当該払出装置２２４の下流側に設けられた図示しない払出通路を通じて、裏パック２０１のベース部２１１に設けられた遊技球分配部２２５に供給される。
【００９２】
遊技球分配部２２５は、払出装置２２４より払い出された遊技球を上皿３３、下皿３４又は後述する排出通路の何れかに振り分けるための機能を有し、内側の開口部が上述した本体側上皿通路１２２及び前扉側上皿通路１６ａを介して上皿３３に通じ、外側の開口部が本体側下皿通路１２３及び前扉側下皿通路１６ｂを介して下皿３４に通じるように形成されている。
【００９３】
ベース部２１１の下端部には、当該下端部を前後に挟むようにして排出通路盤２０３及び制御装置集合ユニット２０４が取り付けられている（図２（ｂ）参照）。排出通路盤２０３には、制御装置集合ユニット２０４と対向する面に後方に開放された排出通路２３１が形成されており、当該排出通路２３１の開放部は制御装置集合ユニット２０４によって塞がれている。排出通路２３１は、遊技ホールの島設備等へ遊技球を排出するように形成されており、後述する集合板１５１の回収通路等から排出通路２３１に導出された遊技球は当該排出通路２３１を通ることでパチンコ機１０外部に排出される。
【００９４】
図１０に示すように、制御装置集合ユニット２０４は、横長形状をなす取付台２４１を有し、取付台２４１に払出制御装置２４２、電源・発射制御装置２４３及びカードユニット接続基板２５０が搭載されている。なお、払出制御装置２４２及びカードユニット接続基板２５０は、電源・発射制御装置２４３の背面側に重ねて配置されている。
【００９５】
払出制御装置２４２、電源・発射制御装置２４３及びカードユニット接続基板２５０は、各種電子部品を実装した基板を有しており、当該基板が透明樹脂材料等よりなる被包部材としての基板ボックスに収容されている。
【００９６】
払出制御装置２４２においては基板ボックス２４４内に払出装置２２４を制御する払出制御基板２４２ａが収容されており（図１７参照）、当該払出制御基板に設けられた状態復帰スイッチ２４５が基板ボックス２４４外に突出している。例えば、払出装置２２４における球詰まり等、払出エラーの発生時において状態復帰スイッチ２４５が押されると、球詰まりの解消が図られるようになっている。
【００９７】
なお、払出制御装置２４２の基板ボックス２４４は、主制御装置１６２の基板ボックス１６３と同様、基板ボックス２４４を構成するボックスカバー２４４ａとボックスベース２４４ｂとが封印部２４９によって開封不能に連結されている（図１２等参照）。
【００９８】
電源・発射制御装置２４３は、基板ボックス２４６内に電源・発射制御基板が収容されており、当該基板により、各種制御装置等で要する所定の電源が生成されて出力され、さらに遊技者による遊技球発射ハンドル４１の操作に伴う遊技球の打ち出しの制御が行われる。また、電源・発射制御装置２４３にはＲＡＭ消去スイッチ２４７が設けられている。本パチンコ機１０は各種データの記憶保持機能を有しており、万一停電が発生した際でも停電時の状態を保持し、停電からの復帰の際には停電時の状態に復帰できるようになっている。したがって、例えば遊技ホールの営業終了の場合のように通常手順で電源を遮断すると遮断前の状態が記憶保持されるが、ＲＡＭ消去スイッチ２４７を押しながら電源を投入すると、ＲＡＭデータが初期化されるようになっている。
【００９９】
カードユニット接続基板２５０は、払出制御装置２４２、貸球操作部４２０及びカードユニットが上述したように各種信号を送受信するための中継基板であり、基板ボックス２５１内に収容されている。
【０１００】
ここで、上記集合板ユニット１５０とそれに関連する構成とについて補足説明する。集合板ユニット１５０は、上述した一般入賞口８１等を介して遊技盤８０の背面側に誘導された遊技球を回収する集合板１５１を備えている。集合板１５１は、光透過性を有する（具体的には無色透明な）合成樹脂材料によって形成されており、遊技球の流下経路の目視による確認が容易化されている。これにより、仮に集合板１５１にて球詰まり等が発生した場合であっても、そのような不都合がどの箇所で生じているかを容易に把握することが可能となっている。
【０１０１】
集合板１５１は、遊技球を回収する機能が付与された本体部と遊技盤８０に対する取付部とが一体成形されてなり、全体として遊技盤８０の左右両端部に跨って延びる横長状をなしている。取付部は、遊技盤８０の背面に対して平行な板状をなしており、同取付部２６１が遊技盤８０に面当りした状態でネジ止めされることにより、集合板１５１と遊技盤８０とが一体化されている。
【０１０２】
集合板１５１の本体部には遊技盤８０の背面に向けて起立する一対の壁部が設けられており、これら各壁部によって遊技球を回収する回収通路が区画形成されている。回収通路は、一般入賞口８１、作動口８４，８５及び可変入賞装置８２，８３等の各入球部に対応して複数設けられている。それら各入球部に入賞した遊技球は何れも回収通路を介して遊技盤８０の下部に集められる。
【０１０３】
遊技盤８０の下方には上述した排出通路盤２０３が配置されており、回収通路によって遊技盤８０の下部に集められた遊技球は排出通路２３１に導出され、その後パチンコ機１０の外部に排出される、詳しくは島設備に返却される。なお、上述したアウト口８９についても同様に排出通路２３１に通じており、何れの入賞口にも入賞しなかった遊技球は同アウト口８９を介して排出通路２３１内に導出され、パチンコ機１０の外部に排出される。
【０１０４】
各回収通路のうち一般入賞口８１及び下作動口８４に対応する回収通路の途中位置には、遊技球の通過を検知する検知センサが設けられている。各検知センサ２７０は、各回収通路の途中位置に設けられた検知領域を遊技球が通過することで、一般入賞口８１等の入球部への入球を検知するものであり、具体的には上記検知領域を遊技球が通過した場合に生じる磁場の変化を把握する磁気センサが採用されている。
【０１０５】
これら各検知センサは、遊技盤８０の背面側に設けられた主制御装置ユニット１６０（詳しくは主制御装置１６２）に電気的に接続されており、それら検知センサにて生成された検知信号が同主制御装置１６２に対して出力される構成となっている。
【０１０６】
次に、パチンコ機１０の電気的構成について、図１１のブロック図に基づき説明する。
【０１０７】
主制御装置１６２に設けられた主制御基板６０１には、ＭＰＵ６０２が搭載されている。ＭＰＵ６０２には、当該ＭＰＵ６０２により実行される各種の制御プログラムや固定値データを記憶したＲＯＭ６０３と、そのＲＯＭ６０３内に記憶される制御プログラムの実行に際して各種のデータ等を一時的に記憶するためのメモリであるＲＡＭ６０４と、割込回路、タイマ回路、データ入出力回路、乱数発生器としての各種カウンタ回路などが内蔵された素子である。なお、ＭＰＵ６０２が有する機能の一部、例えば、ＲＯＭ６０３の機能やＲＡＭ６０４の機能などを別の素子として有する構成としてもよい。
【０１０８】
ＲＯＭ６０３には、当否テーブル記憶エリア６２１、振分テーブル記憶エリア６２２、変動表示時間テーブル記憶エリア６２３、停止結果テーブル記憶エリア６２４、コマンド情報記憶エリア６２５などが設けられている。
【０１０９】
ＲＡＭ６０４には、抽選カウンタ用バッファ６３１、保留球格納エリア６３２、電役保留エリア６３３、各種カウンタエリア６３４、各種フラグ格納エリア６３５などが設けられている。
【０１１０】
ＭＰＵ６０２には、入力ポート及び出力ポートがそれぞれ設けられている。ＭＰＵ６０２の入力側には、主制御装置１６２に設けられた停電監視基板６０５、払出制御装置２４２及び各種検知センサなどが接続されている。この場合に、停電監視基板６０５には電源・発射制御装置２４３が接続されており、ＭＰＵ６０２には停電監視基板６０５を介して電力が供給される。また、センサ群の一部として、一般入賞口８１，下側可変入賞装置８２，右側可変入賞装置８３，下作動口８４，右作動口８５及びスルーゲート８６などといった入賞対応入球部（払出対応入球部）に設けられた複数の検知センサが接続されており、主制御装置１６２のＭＰＵ６０２において各入球部への入賞判定（入球判定）が行われる。また、ＭＰＵ６０２では、下作動口８４及び右作動口８５への入賞に基づいて大当たりや特別当たりの発生抽選を実行するとともに、スルーゲート８６への入賞に基づいて後述するサポートモードの発生抽選を実行する。
【０１１１】
ＭＰＵ６０２の出力側には、外部端子板２１３、停電監視基板６０５、払出制御装置２４２及び音声ランプ制御装置１４３（詳しくは音声ランプ制御基板６５１）が接続されている。払出制御装置２４２には、例えば、上記入賞対応入球部への入賞判定結果に基づいて賞球コマンドが出力される。この場合、賞球コマンドの出力に際しては、ＲＯＭ６０３のコマンド情報記憶エリア６２５が参照される。そして、一般入賞口８１への入賞を特定した場合には、１０個の遊技球の払出に対応した賞球コマンドが出力され、可変入賞装置８２，８３への入賞を特定した場合には、１５個の遊技球の払出に対応した賞球コマンドが出力され、下作動口８４への入賞を特定した場合には、３個の遊技球の払出に対応した賞球コマンドが出力され、右作動口８５への入賞を特定した場合には、４個の遊技球の払出に対応した賞球コマンドが出力される。
【０１１２】
音声ランプ制御装置１４３には、変動用コマンド、種別コマンド、変動終了コマンド、オープニングコマンド及びエンディングコマンドなどの各種コマンドが出力される。この場合、これら各種コマンドの出力に際しては、ＲＯＭ６０３のコマンド情報記憶エリア６２５が参照される。これら各種コマンドの詳細については、後に説明する。なお、上記各コマンドは、所定のバイト数の情報として構成されており、当該所定のバイト数の情報として各種情報が含まれている。
【０１１３】
また、ＭＰＵ６０２の出力側には、下側可変入賞装置８２の可変入賞駆動部８２ｃ、右側可変入賞装置８３の可変入賞駆動部３０４（図１１参照）、切替部材３４１の駆動部３５２（図１１参照）、右作動口８５の電動役物９１を開閉動作させる電動役物駆動部９１ｂ、及び主表示ユニット８７が接続されている。主制御基板６０１には各種ドライバ回路が設けられており、当該ドライバ回路を通じてＭＰＵ６０２は各種駆動部の駆動制御を実行する。
【０１１４】
つまり、開閉実行モードにおいては下側可変入賞装置８２の開閉扉８２ｂが開閉されるように、ＭＰＵ６０２において可変入賞駆動部８２ｃの駆動制御が実行される。また、電動役物９１の開放状態当選となった場合には、電動役物９１が開閉されるように、ＭＰＵ６０２において電動役物駆動部９１ｂの駆動制御が実行される。また、各遊技回に際しては、ＭＰＵ６０２において主表示部Ｄの発光制御が実行される。
【０１１５】
停電監視基板６０５は、主制御基板６０１と電源・発射制御装置２４３とを中継し、また電源・発射制御装置２４３から出力される最大電圧である直流安定２４ボルトの電圧を監視する。払出制御装置２４２は、主制御装置１６２から入力した賞球コマンドに基づいて、払出装置２２４により賞球や貸し球の払出制御を行うものである。
【０１１６】
電源・発射制御装置２４３は、例えば、遊技場等における商用電源（外部電源）に接続されている。そして、その商用電源から供給される外部電力に基づいて主制御基板６０１や払出制御装置２４２等に対して各々に必要な動作電力を生成するとともに、その生成した動作電力を所定の電力経路を通じて供給する。また、電源・発射制御装置２４３は、遊技球発射機構１１０の発射制御を担うものであり、遊技球発射機構１１０（詳しくはソレノイド１１１）は所定の発射条件が整っている場合に駆動される。
【０１１７】
音声ランプ制御装置１４３は、主制御装置１６２から入力した各種コマンドに基づいて、前扉枠１４に設けられた各種ランプ部２６〜２８やスピーカ部２９を駆動制御するとともに、表示制御装置７２５を制御するものである。
【０１１８】
音声ランプ制御基板６５１は、主制御装置１６２から入力した各種コマンドに基づいて各種ランプ部２６〜２８、スピーカ部２９及び表示制御装置７２５を制御するものである。演算装置であるＭＰＵ６６１は、そのＭＰＵ６６１により実行される制御プログラムや固定値データ等を記憶したＲＯＭ６６２と、ワークメモリ等として使用されるＲＡＭ６６３とを備えている。ＲＡＭ６６３は、各種カウンタエリア６７１や各種フラグ格納エリア６７２を備えている。
【０１１９】
表示制御装置７２５では、音声ランプ制御装置１４３から入力したコマンドに基づいて、図柄表示装置９６の表示制御を実行する。この場合に、音声ランプ制御装置１４３では、主制御装置１６２から入力した各種コマンドに基づいて、図柄表示装置９６における図柄の変動表示時間及び最終的に停止表示させる図柄の組み合わせの種類を決定するとともに、リーチ発生の有無及びリーチ演出の内容を決定する。
【０１２０】
ここで、右作動口８５の電動役物９１におけるサポートモードについて説明する。本実施形態におけるサポートモードとしては、遊技領域ＰＥに対して同様の態様で遊技球の発射が継続されている状況で比較した場合に、右作動口８５の電動役物９１が単位時間当たりに開放状態となる頻度が相対的に高低となるように、低頻度サポートモード（低頻度サポート状態又は低頻度ガイド状態）と高頻度サポートモード（高頻度サポート状態又は高頻度ガイド状態）とが設定されている。
【０１２１】
具体的には、低頻度サポートモードと高頻度サポートモードとでは、電動役物開放カウンタＣ３を用いた電動役物開放抽選における電役開放状態当選となる確率は同一（例えば、共に４／５）となっているが、高頻度サポートモードでは低頻度サポートモードよりも、電役開放状態当選となった際に電動役物９１が開放状態となる回数が多く設定されており、さらに１回の開放時間が長く設定されている。この場合、高頻度サポートモードにおいて電役開放状態当選となり電動役物９１の開放状態が複数回発生する場合において、１回の開放状態が終了してから次の開放状態が開始されるまでの閉鎖時間は、１回の開放時間よりも短く設定されている。さらにまた、高頻度サポートモードでは低頻度サポートモードよりも、１回の電動役物開放抽選が行われてから次の電動役物開放抽選が行われる上で最低限確保される確保時間が短く設定されている。
【０１２２】
上記のように高頻度サポートモードでは、低頻度サポートモードよりも右作動口８５への入賞が発生する確率が高くなる。換言すれば、低頻度サポートモードでは、右作動口８５よりも下作動口８４への入賞が発生する確率が高くなるが、高頻度サポートモードでは、下作動口８４よりも右作動口８５への入賞が発生する確率が高くなる。そして、右作動口８５への入賞が発生した場合には、所定個数の遊技球の払出が実行されるため、高頻度サポートモードでは、遊技者は持ち球をあまり減らさないようにしながら遊技を行うことができる。
【０１２３】
なお、高頻度サポートモードを低頻度サポートモードよりも単位時間当たりに電役開放状態となる頻度を高くする上での構成は、上記のものに限定されることはなく、例えば電動役物開放抽選における電役開放状態当選となる確率を高くする構成としてもよい。さらには、開放回数を多くする、開放時間を長くする、１回の電動役物開放抽選が行われてから次の電動役物開放抽選が行われる上で最低限確保される確保時間を短くする（すなわち、スルーゲート用表示部ＤＳにおける１回の変動表示時間を短くする）及び当選確率を高くするのうち、いずれか１条件又は任意の組み合わせの条件を適用することで、低頻度サポートモードに対する高頻度サポートモードの有利性を高めてもよい。
【０１２４】
但し、この高頻度サポートモードは、移行後において遊技回数が終了基準回数（具体的には、１００回）に達した場合に低頻度サポートモードに移行する。
【０１２５】
本パチンコ機１０では、大当たり結果又は特別当たり結果となった場合の低頻度サポートモード及び高頻度サポートモードへの振分態様は、下作動口８４への入賞に基づいて当たり当選となった場合と、右作動口８５への入賞に基づいて当たり当選となった場合とで異なっている。
【０１２６】
具体的には、上記振分に際して下作動口用の当否テーブルが参照されることとなる遊技状態下では、高頻度サポートモード当選となる乱数の値（すなわち、当選情報）は「０〜１４」の１５個である。一方、上記振分に際して右作動口用の振分テーブルが参照されることとなる遊技状況下では、高頻度サポートモード当選となる乱数の値（すなわち、当選情報）は「０〜２４」の２５個である。つまり、下作動口８４への入賞により大当たりに当選した場合には１／２の確率で高頻度サポートモードに振り分けられ、右作動口８５への入賞により大当たり又は特別当たりに当選した場合には、５／６の確率で高頻度サポートモードに振り分けられることとなる。
【０１２７】
なお、当否抽選において外れ結果となった場合、開閉実行モードに移行することはなく、さらにサポートモードの変更は発生しない。
【０１２８】
次に本実施形態の特徴的構成について図１２〜図１７を参照して説明する。本実施形態では、払出制御装置２４２及びカードユニット接続基板２５０を電気的に接続し各種信号を送受信するための接続ケーブルのコネクタ接続部分を覆う被覆部材としてのコネクタカバーを備えた点に特徴を有している。
【０１２９】
図１２は、制御装置集合ユニット２０４の正面図である。図１３は、コネクタカバー７００，８００を取外した状態の制御装置集合ユニット２０４（取付台２４１を除く）を示す斜視図であり、図１４は、コネクタカバー７００，８００を取付けた状態の制御装置集合ユニット２０４（取付台２４１を除く）を示す斜視図である。但し、図１２〜１４においては、便宜上、接続ケーブルの図示を省略する。
【０１３０】
まずは、払出制御装置２４２側の構成から説明する。払出制御装置２４２には、基板ボックス２４４（ボックスカバー２４４ａ）の上縁部に沿って凹部２４４ｃが設けられている（図１７参照）。凹部２４４ｃは、ボックスカバー２４４ａの上縁部を構成する土手部２４４ｆと、これに平行して設けられた水平段差部２４４ｇとによって画定されている。
【０１３１】
また、凹部２４４ｃに対応する払出制御基板２４２ａの上縁部近傍には、接続ケーブルＣＣのコネクタＣＮを接続するため端子部２４２ｄが突出形成されている（図１７参照）。そして、凹部２４４ｃには、端子部２４２ｄに対応してコネクタ用開口部２４４ｅが設けられており、当該開口部２４４ｅを介して端子部２４２ｄが基板ボックス２４４の外部に露出した状態となっている。
【０１３２】
かかる基板ボックス２４４に対し、端子部２４２ｄに接続された接続ケーブルＣＣのコネクタＣＮを覆うように、コネクタカバー７００が取付けられている。
【０１３３】
図１５（ａ），（ｂ），（ｃ）は、それぞれコネクタカバー７００を示す左側面図、正面図、平面図である。コネクタカバー７００は、正面視略Ｌ字状の正面壁部７０１と、当該正面壁部７０１の横片部７０２の上辺部から奥行き方向へ延出した上壁部７０３と、当該上壁部７０３と平行するように、横片部７０２の下辺部から奥行き方向へ延出した下壁部７０４と、横片部７０２の左端にて上壁部７０３と下壁部７０４との間を連結する左壁部７０５と、正面壁部７０１の縦片部７０６の右辺部から奥行き方向へ延出した右壁部７０７とを具備しており、これらが透明樹脂素材により一体成形されている。
【０１３４】
横片部７０２の右端部における上壁部７０３と下壁部７０４の間、及び、縦片部７０６の上端部における横片部７０２の上壁部７０３と縦片部７０６の右壁部７０７との間には、それぞれ接続ケーブルＣＣのケーブルＣＡを導出するための開口部７０９，７１０が形成されている。
【０１３５】
開口部７０９，７１０の内周縁部には、その全域又は一部において内方に向け突出したリブ７０９ａ，７１０ａが形成されている。また、縦片部７０６の左辺部及び下辺部には、奥行き方向へ向け突出したリブ７１１，７１２が形成されている。これらリブ７０９ａ，７１０ａ，７１１，７１２により、コネクタカバー７００の剛性が高められると共に、開口部７０９，７１０等からコネクタカバー７００内へ不正な器具を侵入させにくくすることができる。
【０１３６】
また、正面壁部７０１の横片部７０２と左壁部７０５との連結部は円弧状に湾曲した面取り部７１５となっている。これにより、仮に端子部２４２ｄの左隣りに他の端子部が存在し、当該端子部に対しコネクタが接続された状態等であっても、コネクタカバー７００を取付けるにあたり、当該コネクタカバー７００と他の端子部等とが干渉するのを避けることができる。結果として、取付性の向上等を図ることができる。逆に、端子部２４２ｄに対しコネクタカバー７００が取付けられた状態において、隣接する他の端子部に対しコネクタを抜き差しする場合等においても、作業性が良くなる。
【０１３７】
また、下壁部７０４の下面及び右壁部７０７の左側面には、接着手段としての両面接着テープ７１７，７１８が貼付されている。本実施形態における両面接着テープ７１７，７１８は所定の厚みをもったものである。かかる構成することで、コネクタカバー７００と基板ボックス２４４との間に若干の位置ズレや隙間があったとしても、両面接着テープ７１７，７１８の厚みによってそれを吸収でき、相互の接着性をより高めることができる。特に両面接着テープ７１７，７１８に弾性を持たせることで、両面接着テープ７１７，７１８が圧縮可能となり、上記作用効果をより高めることができる。
【０１３８】
尚、図１７に示すように、凹部２４４ｃの上下方向（図１７の左右方向）における幅Ｗ１は、コネクタカバー７００の上壁部７０３と下壁部７０４の上下方向における幅Ｗ２よりも大きく設定されている。
【０１３９】
次にコネクタカバー７００の取付手順について説明する。コネクタカバー７００は、図１３に示す向きで、基板ボックス２４４（ボックスカバー２４４ａ）の正面側から取付けられる。
【０１４０】
まずコネクタカバー７００の下壁部７０４及び右壁部７０７に貼付された両面接着テープ７１７，７１８の他面側の剥離紙を剥がす（図示略）。
【０１４１】
そして、基板ボックス２４４の端子部２４２ｄに接続された接続ケーブルＣＣのコネクタＣＮを覆うようにして、コネクタカバー７００の横片部７０２側（上壁部７０３、下壁部７０４及び左壁部７０５）を基板ボックス２４４の凹部２４４ｃに差し込む。同時に、開口部７０９，７１０を介して、接続ケーブルＣＣのケーブルＣＡを外部に導出する。横片部７０２、上壁部７０３、下壁部７０４及び左壁部７０５により、コネクタカバー７００の被覆部が構成される。
【０１４２】
この際、コネクタカバー７００の下壁部７０４（両面接着テープ７１７）が水平段差部２４４ｇに接触しないように、土手部２４４ｆ及び水平段差部２４４ｇに対し上壁部７０３及び下壁部７０４を傾斜させた状態とする。
【０１４３】
そして、下壁部７０４と左壁部７０５との角部を水平段差部２４４ｇに接触させると共に、上壁部７０３の右端部（開口部７１０の左端）を土手部２４４ｆに接触させた状態で、当該土手部２４４ｆ及び水平段差部２４４ｇに沿わせるようにスライドさせ、コネクタカバー７００の位置決めを行う（図１２の２点鎖線参照）。例えば、下壁部７０４の右端部が凹部２４４ｃの右縁部に当接するまでスライドさせる。
【０１４４】
続いて、上壁部７０３、下壁部７０４及び左壁部７０５を凹部２４４ｃに当接させた状態で、下壁部７０４と左壁部７０５との角部を支点としてコネクタカバー７００を時計回り方向に回動させる。ここで、下壁部７０４の右端部が凹部２４４ｃの右縁部に当接している場合には、下壁部７０４と左壁部７０５との角部が水平段差部２４４ｇに沿って左方へスライドしつつ、下壁部７０４の右端部が凹部２４４ｃの右縁部に沿って下方へスライドしつつ、コネクタカバー７００が回動する。
【０１４５】
そして、コネクタカバー７００の横片部７０２及び縦片部７０６がそれぞれ水平姿勢及び垂直姿勢となると、両面接着テープ７１７によって下壁部７０４が水平段差部２４４ｇに接着されると共に、両面接着テープ７１８によって右壁部７０７がボックスカバー２４４ａの垂直段差部２４４ｈに接着される。これにより、コネクタカバー７００が基板ボックス２４４に対し固定された状態となる。ここで、水平段差部２４４ｇが本実施形態における第１側壁部に相当し、垂直段差部２４４ｈが第２側壁部に相当する。
【０１４６】
コネクタカバー７００の取付状態にあっては、正面壁部７０１の縦片部７０６の一部が基板ボックス２４４の正面壁部２４４ｊに重なるように配置される。但し、縦片部７０６の左辺部及び下辺部に設けられたリブ７１１，７１２が基板ボックス２４４の正面壁部２４４ｊに接触しないようになっている。これにより、基板ボックス２４４の正面壁部２４４ｊに形成された放熱孔２４４ｋをコネクタカバー７００が塞ぐことを防止すると共に、正面壁部２４４ｊに記載された文字表記などを傷つけないようになっている。
【０１４７】
次にカードユニット接続基板２５０側の構成について説明する。カードユニット接続基板２５０の基板ボックス２５１の上縁部近傍には、コネクタ用開口部２５１ａが設けられている。そして、接続ケーブルＣＣの他端側のコネクタ（図示略）を接続するためのカードユニット接続基板２５０の端子部２５０ａが、開口部２５１ａを介して、基板ボックス２５１の外部に露出した状態となっている。
【０１４８】
かかる基板ボックス２５１に対し、端子部２５０ａに接続された接続ケーブルＣＣのコネクタを覆うように、コネクタカバー８００が取付けられている。
【０１４９】
図１６（ａ），（ｂ），（ｃ）は、それぞれコネクタカバー８００を示す左側面図、正面図、平面図である。コネクタカバー８００は、正面視略コ字状の取付壁部８０１と、当該取付壁部８０１の上辺部に連接された被覆部８０２とを具備しており、これらが透明樹脂素材により一体成形されている。
【０１５０】
被覆部８０２は、取付壁部８０１の上辺部から手前方向へ延出した下壁部８０３と、当該下壁部８０３と平行するように設けられた上壁部８０４と、下壁部８０３と上壁部８０４との間を連結する手前壁部８０５及び右壁部８０６とを備えている。
【０１５１】
手前壁部８０５と右壁部８０６との連結部は円弧状に湾曲した面取り部８１５となっている。これにより、仮に端子部２５０ａの右隣りに他の端子部が存在し、当該端子部に対しコネクタが接続された状態等であっても、コネクタカバー８００を取付けるにあたり、当該コネクタカバー８００と他の端子部等とが干渉するのを避けることができる。結果として、取付性の向上等を図ることができる。逆に、端子部２５０ａに対しコネクタカバー８００が取付けられた状態において、隣接する他の端子部に対しコネクタを抜き差しする場合等においても、作業性が良くなる。
【０１５２】
被覆部８０２の左端部における下壁部８０３と上壁部８０４の間には、接続ケーブルＣＣのケーブルＣＡを導出するための開口部８０９が形成されている。開口部８０９周縁には、その全部又は一部において内方に向け突出したリブ８０９ａが形成されている。また、取付壁部８０１の各辺部（左辺部を除く）には、奥行き方向へ向け突出したリブ８０１ａ〜８０１ｄが形成されている。これらリブ８０９ａ，８０１ａ〜８０１ｄにより、コネクタカバー８００の剛性が高められると共に、開口部８０９等からコネクタカバー８００内へ不正な器具を侵入させにくくすることができる。
【０１５３】
また、被覆部８０２（上壁部８０４）には、その奥辺部から上方へ向け突出した鉤状の係止片８１０が形成されている。係止片８１０に対し、接続ケーブルＣＣのケーブルＣＡや、他の接続ケーブルを引っ掛けることで、当該接続ケーブルが基板ボックス２５１の正面側へ垂れ下がり、基板の視認性を低下させるのを防止することができる。
【０１５４】
また、取付壁部８０１の裏面には、接着手段としての両面接着テープ８１８が貼付されている。本実施形態における両面接着テープ８１８は所定の厚みをもったものである。かかる構成することで、コネクタカバー８００と基板ボックス２５１との間に若干の位置ズレや隙間があったとしても、両面接着テープ８１８の厚みによってそれを吸収でき、相互の接着性をより高めることができる。特に両面接着テープ８１８に弾性を持たせることで、両面接着テープ８１８が圧縮可能となり、上記作用効果をより高めることができる。
【０１５５】
次にコネクタカバー８００の取付手順について説明する。コネクタカバー８００は、図１３に示す向きで、基板ボックス２５１の正面側から取付けられる。
【０１５６】
まず、コネクタカバー８００の取付壁部８０１の裏面に貼付された両面接着テープ８１８の他面側の剥離紙を剥がす（図示略）。
【０１５７】
続いて、基板ボックス２５１の端子部２５０ａに接続された接続ケーブルＣＣのコネクタを被覆部８０２により覆いつつ、被覆部８０２の開口部８０９を介して接続ケーブルＣＣのケーブルＣＡを外部に導出する。同時に、コネクタカバー８００の取付壁部８０１を、リブ８０１ａ〜８０１ｄにより位置決めしつつ、基板ボックス２５１の正面壁部２５１ｃに押圧する。これにより、両面接着テープ８１８によってコネクタカバー８００の取付壁部８０１が基板ボックス２５１の正面壁部２５１ｃに接着される。そして、コネクタカバー８００が基板ボックス２５１に対し固定された状態となる。
【０１５８】
コネクタカバー８００の取付状態にあっては、取付壁部８０１の大部分が基板ボックス２５１の正面壁部２５１ｃに重なるように配置される。但し、両面接着テープ８１８には、基板ボックス２５１内部のカードユニット接続基板２５０に実装された所定の電子部品８２０に対応して貫通形成された窓部８１８ａが形成されている。これにより、電子部品８２０の視認性を確保することができる。
【０１５９】
以上詳述したように、本実施形態によれば、コネクタカバー７００，８００を備えることにより、例えばパチンコ機１０の隙間から侵入させた不正な器具を接続ケーブルＣＣのコネクタＣＮや端子部２４２ｄ等に対し接触させるなどの不正行為を抑止することができる。
【０１６０】
特に本実施形態では、コネクタカバー７００，８００を基板ボックス２４４，２５１に対し接着固定されるため、係止爪等により係止させただけの構成に比べ、コネクタカバー７００，８００を取外すことが困難となる。
【０１６１】
さらに、コネクタカバー７００，８００が基板ボックス２４４，２５１に接着固定されていることから、万が一コネクタカバー７００，８００を強引に取外すような不正行為が行われた場合には、何らかの痕跡が残るとともに、コネクタカバー７００，８００を再び元の状態のように適正に取付けることができなくなるため、それを確認することで当該不正行為を早期かつ容易に発見することができる。そのため、不正行為の直接的な防止はもとより、不正行為を早期発見できるという側面からも不正行為の抑止を図ることができる。
【０１６２】
また、コネクタカバー７００，８００が透明部材により構成されていることから、当該コネクタカバー７００，８００を介して基板２４２ａ，２５０の実装面（表面）を視認可能となり、基板２４２ａ，２５０の実装面の電子部品の視認性が損なわれるといった不具合を極力少なくすることができる。勿論、接続ケーブルＣＣのコネクタＣＮや端子部２４２ｄ等に対し不正部品が取付けられていることなども容易に発見することができる。
【０１６３】
特に、コネクタカバー７００に関しては、基板ボックス２４４のうち、基板２４２ａの実装面に対し略直交して配設される水平段差部２４４ｇ及び垂直段差部２４４ｈに対し接着固定される。これにより、基板２４２ａの実装面の視認性が低下するおそれを低減する。また、コネクタＣＮの抜け方向への動きを規制する力も強くなり、コネクタカバー７００ひいてはコネクタＣＮを不正に取外す行為を抑止することができる。さらに、２箇所で接着固定されるため、コネクタカバー７００の取付状態も安定し、前記作用効果がより向上する。
【０１６４】
また、コネクタカバー７００に関しては、上壁部７０３、下壁部７０４及び左壁部７０５を基板ボックス２４４の凹部２４４ｃの縁部に沿わせるようにして回動させることにより、下壁部７０４が水平段差部２４４ｇに接着され、右壁部７０７が垂直段差部２４４ｈに接着される構成となっている。これにより、例えば下壁部７０４又は右壁部７０７のいずれか一方が接着されない状態で、他方が接着固定されてしまうといった接着ミスを極力防止することができると共に、取付性の向上を図ることができる。
【０１６５】
なお、上述した実施形態の記載内容に限定されず、例えば次のように実施してもよい。
【０１６６】
（ａ）上記実施形態では、払出制御装置２４２及びカードユニット接続基板２５０に対し取付けられるコネクタカバー７００，８００について具体化しているが、これに限らず、主制御装置１６２など、その他の各種基板を収納する基板ボックスに取付けられるコネクタカバーに適用することとしてもよい。
【０１６７】
（ｂ）コネクタカバー７００等の構成は上記実施形態に限定されるものではなく、基板ボックス２４４等の形状や寸法等に応じて適宜変更、省略することが可能である。例えば、コネクタカバー７００の正面壁部７０１の縦片部７０６や右壁部７０７を省略し、コネクタカバー７００が１箇所にて接着固定される構成としてもよい。コネクタカバー７００，８００の各種リブを省略した構成としてもよい。また、コネクタカバー８００の両面接着テープ８１８には電子部品８２０に対応して窓部８１８ａが形成されているが、これを省略した構成としてもよいし、又は、これに代えて電子部品８２０を視認可能な切欠き部を形成した構成としてもよい。
【０１６８】
（ｃ）上記実施形態では、接着手段として両面接着テープ７１７，７１８等を採用しているが、これに限らず、接着剤を塗布して接着固定する構成を採用してもよい。
【０１６９】
（ｄ）上記実施形態とは異なるタイプのパチンコ機として実施してもよい。勿論、パチンコ機に限らず、アレンジボール機、雀球、スロットマシン（回胴式遊技機）など他の遊技機として実施してもよい。
【０１７０】
以下、特許請求の範囲の請求項に記載されないものであって、上記実施形態から把握できる技術的思想について、その効果とともに記載する。
【０１７１】
手段１．所定の電気機器との間で信号の送信又は受信を行うための端子部（基板側コネクタ）を具備してなる基板と、
前記端子部を露出させた状態で前記基板を被包する被包部材（基板ボックス）とを備え、
前記端子部に対し、前記電気機器と電気的に接続された接続ケーブルのコネクタ（ケーブル側コネクタ）が接続される遊技機において、
前記端子部に接続された接続ケーブルのコネクタを覆う被覆部材（コネクタカバー）を備え、
前記被覆部材を所定の接着手段により前記被包部材に対し接着固定したことを特徴とする遊技機。
【０１７２】
上記手段１によれば、端子部に接続された接続ケーブルのコネクタを覆う被覆部材を備えることにより、例えば遊技機の隙間から侵入させた不正な器具を端子部やコネクタに対し接触させるなどの不正行為を抑止することができる。
【０１７３】
被覆部材を被包部材に対し固定する方法としては、例えば被覆部材に係止爪等を設け、当該係止爪を被包部材に係止する方法などが考えられる。しかし、かかる方法では、係止爪の係止状態を解除することで簡単に被覆部材が取外されてしまうおそれがある。
【０１７４】
この点、本手段によれば、被覆部材が被包部材に対し接着固定されるため、被覆部材を取外すことが困難となる。また、被覆部材を被包部材に接着するだけでよいため、作業性が良い。
【０１７５】
さらに、被覆部材が被包部材に接着固定されていることから、万が一被覆部材を強引に取外すような不正行為が行われた場合には、何らかの痕跡が残るとともに、被覆部材を再び元の状態のように適正に取付けることができなくなるため、それを確認することで当該不正行為を早期かつ容易に発見することができる。そのため、不正行為の直接的な防止はもとより、不正行為を早期発見できるという側面からも不正行為の抑止を図ることができる。
【０１７６】
なお、「接着手段」としては、両面接着テープや接着材等が挙げられる。また、「電気機器」としては、例えば上記「基板」との間で信号の送信又は受信を行う他の基板（制御基板、中継基板等）や検出スイッチなどが一例に挙げられる。
【０１７７】
手段２．前記被覆部材が、透明部材又は半透明部材により構成されていることを特徴とする手段１に記載の遊技機。
【０１７８】
一般的に、パチンコ機等の遊技機においては、不正防止の観点から、被包部材（基板ボックス）自体が透明部材等により構成されている。そのため、被包部材が遊技機本体に取付けられた状態でも、当該被包部材外部から基板表面（実装面）の電子部品の確認を容易に行うことができる。従って、仮にＲＯＭ等の電子部品の交換といった不正行為が行われた場合でも、当該不正行為を早期に発見することができると共に、このような不正行為が抑止されている。
【０１７９】
ここで、被覆部材を被包部材に接着固定する場合には、基板表面の視認性を低下させるおそれがある。
【０１８０】
この点、本手段によれば、被覆部材が透明部材等により構成されることにより、仮に被覆部材の一部が基板表面に重なるように配置された場合でも、透明部材等よりなる当該被覆部材を介して基板表面を視認可能となり、基板表面の電子部品の視認性が損なわれるといった不具合を極力少なくすることができる。勿論、端子部やコネクタに対し不正部品が取付けられていることなども容易に発見することができる。
【０１８１】
手段３．前記被包部材のうち、前記基板の実装面に対し略直交して配設される側壁部に対し、前記被覆部材を接着固定したことを特徴とする手段１又は２に記載の遊技機。
【０１８２】
仮に基板の実装面と並行して配設される被包部材の正面壁部に対し、被覆部材を接着固定した場合には、基板表面の視認性を低下させるおそれがある。
【０１８３】
この点、本手段によれば、基板表面の視認性が低下するおそれを低減することができる。
【０１８４】
また、基板の実装面に対し略直交する方向は、当該実装面に突出形成される端子部に対し接続される接続ケーブルのコネクタの取外し方向でもあるため、本手段のように被覆部材を接着固定することにより、コネクタの抜け方向への動きを規制する力も強くなる。結果として、接続ケーブルのコネクタを不正に取外す行為を抑止することができる。
【０１８５】
手段４．前記被覆部材は、略Ｌ字状に形成され、
前記被包部材のうち、前記基板の実装面に対し略直交して配設される第１側壁部に対し接着固定されると共に、前記基板の実装面に対し略直交しかつ前記第１側壁部に対し略直交して配設される第２側壁部に対し接着固定されることを特徴とする手段１又は２に記載の遊技機。
【０１８６】
上記手段４によれば、上記手段３と同様の作用効果が奏される。加えて、被包部材のうち、互いに略直交する２つの側壁部に対しそれぞれ被覆部材が接着固定されるため、取付状態が安定し、被覆部材を取外すことがより困難となる。
【０１８７】
手段５．前記被包部材は、前記端子部が挿通される開口部を有した凹部を備え、
前記被覆部材は、前記凹部に差し込まれかつ前記端子部に接続された接続ケーブルのコネクタを覆う被覆部を備え、
前記被覆部材の被覆部を前記被包部材の凹部の縁部に沿わせて変位させることにより、当該被覆部材を当該被包部材に接着固定するようにしたことを特徴とする手段１乃至４のいずれかに記載の遊技機。
【０１８８】
上記手段５によれば、被包部材の凹部の縁部に案内されつつ、被覆部材を取付姿勢に導くことができるため、接着ミスを極力防止することができると共に、取付性の向上を図ることができる。特に上記手段４のように２箇所で接着固定する場合には、いずれか一方が接着されない状態で、他方が接着固定されてしまうおそれもあるため、本手段の構成がより奏効することとなる。
【０１８９】
手段６．前記被包部材のうち、前記基板の実装面に対し略平行して配設される正面壁部に対し、前記被覆部材を接着固定すると共に、
前記基板の実装面上の所定の電子部品に対応して、前記接着手段の一部に切欠き部又は窓部を形成したことを特徴とする手段２に記載の遊技機。
【０１９０】
上記手段６によれば、基板表面の所定の電子部品の視認性が低下するおそれを低減することができる。
【０１９１】
手段７．前記基板は、遊技媒体を払出可能な払出手段を制御する払出制御基板であることを特徴とする手段１乃至６のいずれかに記載の遊技機。
【０１９２】
上記手段７によれば、払出制御基板に対し偽の信号を出力する等して、不正に遊技媒体を獲得するといった不正行為を抑止することができる。
【０１９３】
手段８．前記基板は、遊技者の操作に基づいて遊技媒体の貸出しを要求する貸出指示手段と、前記貸出指示手段からの貸出要求に基づき払出手段を制御し遊技媒体を払出す払出制御基板とを電気的に接続する中継基板であることを特徴とする手段１乃至６のいずれかに記載の遊技機。
【０１９４】
上記手段８によれば、上記手段７と同様の作用効果が奏される。
【０１９５】
以下に、上記各手段が適用される各種遊技機の基本構成を示す。
【０１９６】
Ａ．上記各手段における前記遊技機は弾球遊技機であること。より詳しい態様例としては、「遊技者が操作する操作手段（遊技球発射ハンドル）と、当該操作手段の操作に基づいて遊技球を弾いて発射する球発射手段（発射モータ等）と、当該発射された遊技球が案内される遊技領域と、前記遊技領域内に配置された各遊技部品（一般入賞口、可変入賞装置、作動口、可変表示ユニット等）とを備えた弾球遊技機」が挙げられる。
【０１９７】
Ｂ．上記各手段における前記遊技機、又は、上記各弾球遊技機は、パチンコ機又はパチンコ機に準ずる遊技機であること。
【０１９８】
Ｃ．上記各手段における遊技機は、スロットマシン等の回胴式遊技機であること。より詳しい態様例としては、「複数の識別情報（図柄）からなる識別情報列（図柄列；具体的には図柄の付されたリール等の回転体）を変動表示（具体的にはリール等の回転）した後に識別情報列を確定停止表示する可変表示手段（具体的にはリールユニット等の回転体ユニット）を備え、始動用操作手段（具体的にはスタートレバー）の操作に起因して識別情報（図柄）の変動が開始され、停止用操作手段（具体的にはストップボタン）の操作に起因して又は所定時間経過することにより識別情報（図柄）の変動が停止され、その停止時の確定識別情報（図柄）が特定識別情報（図柄）であることを必要条件として遊技者に有利な特別遊技状態（ボーナスゲーム等）を発生させるよう構成した回胴式遊技機」が挙げられる。
【符号の説明】
【０１９９】
１０…パチンコ機、２０４…制御装置集合ユニット、２４２…払出制御装置、２４２ａ…払出制御基板、２４２ｄ…端子部、２４４…基板ボックス、２４４ａ…ボックスカバー、２４４ｃ…凹部、２４４ｅ…コネクタ用開口部、２４４ｆ…土手部、２４４ｇ…水平段差部、２４４ｊ…正面壁部、２４４ｋ…放熱孔、２５０…カードユニット接続基板、２５０ａ…端子部、２５１…基板ボックス、２５１ａ…コネクタ用開口部、２５１ｃ…正面壁部、７００…コネクタカバー、７０１…正面壁部、７０２…横片部、７０３…上壁部、７０４…下壁部、７０５…左壁部、７０７…右壁部、７０９，７１０…開口部、７０９ａ，７１０ａ…リブ、７１１，７１２…リブ、７１５…面取り部、７１７，７１８…両面接着テープ、８００…コネクタカバー、８０１…取付壁部、８０１ａ〜８０１ｄ…リブ、８０２…被覆部、８０３…下壁部、８０４…上壁部、８０５…手前壁部、８０６…右壁部、８０９…開口部、８０９ａ…リブ、８１０…係止片、８１５…面取り部、８１８…両面接着テープ、８１８ａ…窓部、ＣＣ…接続ケーブル、ＣＮ…コネクタ、ＣＡ…ケーブル。
【図１】
2020179303.tif 000003
【図２】
2020179303.tif 000004
【図３】
2020179303.tif 000005
【図４】
2020179303.tif 000006
【図５】
2020179303.tif 000007
【図６】
2020179303.tif 000008
【図７】
2020179303.tif 000009
【図８】
2020179303.tif 000010
【図９】
2020179303.tif 000011
【図１０】
2020179303.tif 000012
【図１１】
2020179303.tif 000013
【図１２】
2020179303.tif 000014
【図１３】
2020179303.tif 000015
【図１４】
2020179303.tif 000016
【図１５】
2020179303.tif 000017
【図１６】
2020179303.tif 000018
【図１７】
2020179303.tif 000019